(57)【特許請求の範囲】
【請求項１】
電子レシートに基づいて、購入品ごとに、保管場所を示す保管場所情報と分量とを対応付けて記憶手段に記憶し、管理する購入品管理手段と、
前記購入品を表す第１画像を、当該購入品の保管場所を表す第２画像上に配置した購入品管理画面を生成する第１生成手段と、
前記購入品管理画面内に、消費量に応じた複数のマークと、廃棄を示すマークとを表示生成する第２生成手段と、
前記第１画像が前記消費量に応じた量に応じた複数のマークのうちいずれか１つに移動して重ねられると、前記第１画像が示す前記購入品が消費されたとする情報を対応付けて前記記憶手段に記憶し、移動先の前記マークに対応する前記消費量により、前記記憶手段が記憶する前記分量を管理する消費管理手段と、
前記第１画像が前記廃棄を示すマークに移動して重ねられると、当該第１画像が示す前記購入品が廃棄されたとする情報を対応付けて前記記憶手段に記憶し、前記記憶手段が記憶する前記分量を管理する廃棄管理手段と、
を備える情報処理装置。
【請求項２】
情報処理装置を制御するコンピュータを、
電子レシートに基づいて、購入品ごとに、保管場所を示す保管場所情報と分量とを対応付けて記憶手段に記憶し、管理する購入品管理手段と、
前記購入品を表す第１画像を、当該購入品の保管場所を表す第２画像上に配置した購入品管理画面を生成する第１生成手段と、
前記購入品管理画面内に、消費量に応じた複数のマークと、廃棄を示すマークとを表示生成する第２生成手段と、
前記第１画像が前記消費量に応じた量に応じた複数のマークのうちいずれか１つに移動して重ねられると、前記第１画像が示す前記購入品が消費されたとする情報を対応付けて前記記憶手段に記憶し、移動先の前記マークに対応する前記消費量により、前記記憶手段が記憶する前記分量を管理する消費管理手段と、
前記第１画像が前記廃棄を示すマークに移動して重ねられると、当該第１画像が示す前記購入品が廃棄されたとする情報を対応付けて前記記憶手段に記憶し、前記記憶手段が記憶する前記分量を管理する廃棄管理手段と、して機能させるためのプログラム。
【発明の詳細な説明】
【技術分野】
【０００１】
本発明の実施形態は、情報処理装置およびプログラムに関する。
【背景技術】
【０００２】
従来、購入品管理（在庫管理や商品の賞味期限など）を行う際に、食材の痛みや賞味期限といった理由により食材を廃棄することがある。この際に廃棄した食材がどれくらいになるかを計算しようとすると、過去のレシートから手動にて判断し、データをまとめる必要があり、手間が掛ってしまっていた。
【０００３】
また、従来の購入品管理では在庫がなくなるとデータが削除されてしまうため、ロスした金額を簡単に分析することができなかった。
【発明の概要】
【発明が解決しようとする課題】
【０００４】
本発明が解決しようとする課題は、購入品管理において容易に廃棄する商品の管理を行うことができる。また、購入品を管理することができる情報処理装置およびプログラムを提供することである。
【課題を解決するための手段】
【０００５】
実施形態の情報処理装置は、電子レシートに基づいて、購入品ごとに、保管場所を示す保管場所情報と分量とを対応付けて記憶手段に記憶し、管理する購入品管理手段と、前記購入品を表す第１画像を、当該購入品の保管場所を表す第２画像上に配置した購入品管理画面を生成する第１生成手段と、前記購入品管理画面内に、消費量に応じた複数のマークと、廃棄を示すマークとを表示生成する第２生成手段と、前記第１画像が前記消費量に応じた量に応じた複数のマークのうちいずれか１つに移動して重ねられると、前記第１画像が示す前記購入品が消費されたとする情報を対応付けて前記記憶手段に記憶し、移動先の前記マークに対応する前記消費量により、前記記憶手段が記憶する前記分量を管理する消費管理手段と、前記第１画像が前記廃棄を示すマークに移動して重ねられると、当該第１画像が示す前記購入品が廃棄されたとする情報を対応付けて前記記憶手段に記憶し、前記記憶手段が記憶する前記分量を管理する廃棄管理手段と、を備える。
【図面の簡単な説明】
【０００６】
【図１】図１は、実施形態にかかる購入品管理システムの構成を模式的に示す図である。
【図２】図２は、ＰＯＳ端末のハードウェア構成の一例を示すブロック図である。
【図３】図３は、企業サーバのハードウェア構成の一例を示すブロック図である。
【図４】図４は、購入品管理サーバのハードウェア構成の一例を示すブロック図である。
【図５】図５は、購入品管理ＤＢのデータ構成の一例を示す図である。
【図６】図６は、ユーザ端末のハードウェア構成の一例を示すブロック図である。
【図７】図７は、ＰＯＳ端末の機能構成を示す図である。
【図８】図８は、企業サーバの機能構成を示す図である。
【図９】図９は、購入品管理サーバの機能構成を示す図である。
【図１０】図１０は、ユーザ端末の機能構成を示す図である。
【図１１】図１１は、購入品管理サーバが行う購入品管理処理の流れを示すフローチャートである。
【図１２】図１２は、購入品管理サーバが行う購入品情報提供処理の流れを示すフローチャートである。
【図１３】図１３は、購入品管理画面（背景画面）の画面遷移の一例を説明するための図である。
【図１４】図１４は、購入品管理画面の一例を示す図である。
【図１５】図１５は、購入品管理画面の一例を示す図である。
【図１６】図１６は、購入品管理サーバが行う購入品操作処理の流れを示すフローチャートである。
【図１７】図１７は、購入品管理画面の一例を示す図である。
【図１８】図１８は、購入品管理画面の一例を示す図である。
【発明を実施するための形態】
【０００７】
以下、本実施の一形態を図面に基づいて説明する。
【０００８】
図１は、実施形態にかかる購入品管理システムの構成を模式的に示す図である。図１に示すように、購入品管理システムは、ＰＯＳ（Point  of  Sales）端末１と、企業サーバ２と、購入品管理サーバ３と、ユーザ端末４とを有する。
【０００９】
ＰＯＳ端末１は、商品を販売する店舗Ｐ１に設けられる。ＰＯＳ端末１は、ルータ等の
ネットワーク機器（図示せず）を介して、店舗Ｐ１と本部Ｐ２とを繋ぐネットワークＮ１に接続することが可能である。ここで、ネットワークＮ１は、例えば、ＶＰＮ（Virtual  Private  Network）等の専用線である。
【００１０】
ＰＯＳ端末１は、自店舗にてユーザが購入した商品の決済処理を含む商品販売データ処理を行うことで、その取引内容を示した商品販売データに基づくレシートデータを生成する。また、ＰＯＳ端末１は、レシートデータのデータ形式を変換した電子レシートを生成し、ネットワークＮ１を介して企業サーバ２に出力（送信）する。
【００１１】
なお、店舗Ｐ１に設けられるＰＯＳ端末１の個数は特に問わないものとする。また、店舗内に商品販売データ処理に用いる商品データファイル等を記憶・管理するストアサーバ等を設けてもよい。この場合、ストアサーバは、ＰＯＳ端末１の各々で生成される電子レシートを収集し、企業サーバ２に一括して出力する構成としてよい。
【００１２】
企業サーバ２は、例えば、店舗Ｐ１を運営する企業の本部Ｐ２に設けられる。企業サーバ２は、自企業が運営する各店舗Ｐ１（ＰＯＳ端末１）から送信された電子レシートを受信し管理する。つまり、企業サーバ２は、自企業が運営する各店舗Ｐ１で生成された電子レシートを一括に管理する、企業用の電子レシート管理サーバとして機能する。
【００１３】
また、企業サーバ２は、ネットワークＮ２を介して、購入品管理サーバ３に接続される。ネットワークＮ２は、例えば、インターネットやＶＰＮ等の専用線である。企業サーバ２は、各店舗Ｐ１から受信した電子レシートを、購入品管理サーバ３に送信する。
【００１４】
購入品管理サーバ３は、例えば、企業サーバ２の各企業とは独立した第３機関のデータセンタＰ３等に設けられる情報処理装置である。購入品管理サーバ３は、ネットワークＮ２を介して、各企業の企業サーバ２に接続される。購入品管理サーバ３は、各企業（企業サーバ２）から送信された電子レシートを受信し管理する。つまり、購入品管理サーバ３は、各種企業の店舗で生成された電子レシートを一括に管理する、ユーザ用（消費者用）の電子レシート管理サーバとして機能する。
【００１５】
また、購入品管理サーバ３は、本システムへの登録を行ったユーザ（以下「会員」という）に関する会員情報を、後述する会員マスタ３３ａ（図４参照）に記憶して管理する。なお、本システムへの登録方法は特に問わないものとする。例えば、本システムへの登録は、店舗Ｐ１においてＰＯＳ端末１を介して行う形態としてもよいし、ユーザ端末４を介して行う形態としてもよい。また、会員登録を行った消費者には、消費者を特定するための識別情報である固有の会員ＩＤが付与されるものとする。
【００１６】
ユーザ端末４は、本システムのユーザ（会員）が使用する端末装置である。ユーザ端末４は、例えばスマートフォン、タブレット型コンピュータ等、ノート型パソコン等の通信端末を用いて実現できる。また、ユーザ端末４は、ネットワークＮ３を介して、購入品管理サーバ３等のサーバ装置に接続することが可能となっている。ここで、ネットワークＮ３は、インターネットや、各種公衆網である。
【００１７】
次に、上記した各装置のハードウェア構成について説明する。
【００１８】
まず、ＰＯＳ端末１について説明する。図２は、ＰＯＳ端末１のハードウェア構成の一例を示すブロック図である。図２に示すように、ＰＯＳ端末１は、各種演算やＰＯＳ端末１の各部を統括的に制御する制御部１１を備える。制御部１１は、ＣＰＵ（Central  Processing  Unit）、ＲＯＭ（Read  Only  Memory）、ＲＡＭ（Random  Access  Memory）、ＲＴＣ（Real  Time  Clock）等によって構成されるコンピュータである。ＲＯＭは、各種プログラムやデータを記憶する。ＲＡＭは、各種プログラムを一時的に記憶したり各種データを書き換え自在に記憶する。ＲＴＣは、現在の日時を計時する。
【００１９】
制御部１１は、バス１８を介して操作部１２、プリンタ１３、表示部１４及びコードスキャナ１５に接続されている。
【００２０】
操作部１２は、オペレータが操作入力を行うための各種の操作キーを有する。操作キーは、例えば、数値を入力するための置数キー、所定の項目を選択するためのカーソルキーや選択決定キーを有する。また、操作キーは、取引における売上登録が行われる商品の合計出力を指示する小計キー、一取引の締め処理を行って代金を決済することを宣言する締めキー等を有する。プリンタ１３は、レシートやジャーナル等の印字を行うプリンタ装置である。
【００２１】
表示部１４は、例えば液晶ディスプレイ等である。表示部１４は、販売登録された商品の品名、価格、決済が宣言された一取引の合計金額、釣銭額等の各種情報を表示する。表示部１４は、キャッシャなどのオペレータ向けに各種情報を表示するオペレータ用ディスプレイ１４ａと、ユーザ（消費者）向けに各種情報を表示するユーザ用ディスプレイ１４ｂとを備える。なお、表示部１４をタッチパネル構成としてもよく、この場合、タッチパネルは操作部１２として機能する。
【００２２】
コードスキャナ１５は、バーコードや二次元コード等のコードシンボルを光学的に読み取るスキャナ装置である。コードスキャナ１５は、例えば、商品に付されたコードシンボルや、ユーザが提示する物品（会員カードやユーザ端末４）に表されたコードシンボル等を読み取る。そして、コードスキャナ１５は、コードシンボルから読み取った情報を制御部１１に出力する。なお、商品に付されたコードシンボルには、その商品を特定するための商品コード等が保持されているとする。また、ユーザが提示するコードシンボルには、そのユーザを特定するための会員ＩＤ等が保持されているとする。
【００２３】
また、制御部１１は、バス１８を介して通信Ｉ／Ｆ（インタフェース）１６に接続される。制御部１１は、この通信Ｉ／Ｆ１６を介してネットワークＮ１に接続することが可能となっている。
【００２４】
また、制御部１１は、バス１８を介して、記憶部１７に接続されている。記憶部１７は、例えばＨＤＤ（Hard  Disk  Drive）やＳＳＤ（Solid  State  Drive）等の補助記憶装置である。記憶部１７は、制御部１１（ＣＰＵ）が実行する各種プログラムを記憶する。また、記憶部１７は、各商品の商品名（品目）、商品コード及び単価等の商品データを格納した商品データファイル等の各種データファイルを記憶する。
【００２５】
また、記憶部１７は、自己のＰＯＳ端末１を他のＰＯＳ端末１と識別するためのＰＯＳナンバーを記憶する。また、記憶部１７は、自店舗を運営する企業を他の企業と識別するための企業コードや、自己のＰＯＳ端末１が設置される店舗Ｐ１を示す店舗コード等を記憶する。また、記憶部１７は、非構造化形式のレシートデータを、構造化形式のレシートデータ（電子レシート）に変換する際の、変換規則を記述したレシートデータスキーマを記憶する。
【００２６】
次に、企業サーバ２について説明する。図３は、企業サーバ２のハードウェア構成の一例を示すブロック図である。図３に示すように、企業サーバ２は、各種演算や企業サーバ２の各部を統括的に制御する制御部２１を備えている。制御部２１は、図２で説明した制御部１１と同様に、ＣＰＵやＲＯＭ、ＲＡＭ、ＲＴＣ等によって構成されるコンピュータである。
【００２７】
制御部２１は、バス２４に接続された通信Ｉ／Ｆ２２を介して、ネットワークＮ１やネットワークＮ２に接続することが可能となっている。また、制御部２１は、バス２４を介して記憶部２３に接続されている。
【００２８】
記憶部２３は、制御部２１（ＣＰＵ）が実行する各種プログラムを記憶する。また、記憶部２３は、店舗Ｐ１から送信された電子レシートを記憶・管理する記憶領域を有する。
【００２９】
次に、購入品管理サーバ３の構成について説明する。図４は、購入品管理サーバ３のハードウェア構成の一例を示すブロック図である。図４に示すように、購入品管理サーバ３は、各種演算や購入品管理サーバ３の各部を統括的に制御する制御部３１を備えている。制御部３１は、図２で説明した制御部１１と同様に、ＣＰＵやＲＯＭ、ＲＡＭ、ＲＴＣ部等によって構成されるコンピュータである。
【００３０】
制御部３１は、バス３４に接続された通信Ｉ／Ｆ３２を介して、ネットワークＮ２及びネットワークＮ３に接続することが可能となっている。また、制御部３１は、バス３４を介して、記憶部３３に接続されている。
【００３１】
記憶部３３は、制御部３１（ＣＰＵ）が実行する各種プログラムを記憶する。また、記憶部３３は、各会員に関する会員情報が登録された会員マスタ３３ａを備える。会員情報は、各会員に割り振られた固有の会員ＩＤの他、会員の氏名、年齢、家族構成等の情報を含む。ここで、家族構成は、家族の人数や家族の年齢、飼育しているペットの種別等である。また、会員情報は、会員が所持するユーザ端末４の送信先情報（例えばメールアドレス）を含む。
【００３２】
また、記憶部３３は、各種企業（企業サーバ２）から提供された電子レシートを記憶・管理するための電子レシートＤＢ（データベース）３３ｂを備える。電子レシートは、会員ＩＤ、企業コード（店舗を運営する企業の識別コード）、店舗コード、レシートナンバー、取引日時等を含む。また、電子レシートは、会員が買い上げた商品の商品コードや単価、点数、支払金額等を記録したレシートデータの内容を含む。
【００３３】
また、記憶部３３は、各会員が購入した商品（以下、購入品という）に関する購入品情報を記憶し、管理するための購入品管理ＤＢ３３ｃを備える。なお、購入品管理ＤＢ３３ｃは、本実施形態の管理手段に対応する。
【００３４】
図５は、購入品管理ＤＢ３３ｃのデータ構成の一例を示す図である。図５に示すように、購入品管理ＤＢ３３ｃは、会員ＩＤに対応付けて、その会員ＩＤに対応する会員が購入した商品（購入品）に関する購入品情報（削除統計情報）を記憶する。購入品情報は、購入品毎に設けられ、管理番号と、商品コードと、分量と、保管場所情報と、削除日と、消費行動とを含む。
【００３５】
管理番号は、購入品を管理するための管理番号であり、購入品（商品コード）毎に固有の番号が割り振られる。なお、管理番号は、同一の会員ＩＤに関連付けて登録される購入品間で相違すればよく、例えば購入品管理ＤＢ３３ｃに登録された順に昇順の番号を割り当てる形態としてもよい。商品コードは、会員が購入した各商品、つまり購入品の商品コードである。分量は、購入品の残量に対応し、デフォルトの初期値として分量“１”が設定される。なお、３個入りパックの購入品等、一の購入品が複数の構成物で構成される場合には、その構成数を分量の初期値としてもよい。保管場所情報は、購入品の保管場所を示す情報である。
【００３６】
また、図５に示す削除日は、購入品が消費または廃棄によって削除された日である。ここで、「消費」とは、購入品が食料品の場合には「食べた」という消費行動をいう。また、「消費」とは、購入品が日用品の場合には「使用した」という消費行動をいう。一方、「廃棄」とは、購入品が食料品の場合には「食べた」という消費行動をとらずに、「捨てた」ことをいう。また、「廃棄」とは、購入品が日用品の場合には「使用した」という消費行動をとらずに、「捨てた」ことをいう。
【００３７】
また、図５に示す消費行動は、その購入品が消費または廃棄によって削除された場合に、消費による削除なのか、廃棄による削除なのかを判別するためのフラグ情報である。ここで、消費行動“１”が「消費」であることを意味し、消費行動“２”が「廃棄」であることを意味する。なお、消費行動“０”は、消費または廃棄されていない状態を示している。
【００３８】
以上のように、購入品管理ＤＢ３３ｃは、「食べた」または「使用した」、「捨てた」といった消費行動を記録することが可能となっている。
【００３９】
また、記憶部３３は、後述する購入品管理画面等の生成に係る各種情報（背景画像や商品画像等）を記憶する。なお、商品画像は、各商品の商品コードと関連付けて保持されているものとする。また、商品画像は、対応する商品の分量毎に設けられていてもよい。
【００４０】
次に、ユーザ端末４の構成について説明する。図６は、ユーザ端末４のハードウェア構成の一例を示すブロック図である。図６に示すように、ユーザ端末４は、各種演算やユーザ端末４の各部を統括的に制御する制御部４１を備えている。制御部４１は、図２で説明した制御部１１と同様に、ＣＰＵやＲＯＭ、ＲＡＭ、ＲＴＣ等によって構成されるコンピュータである。
【００４１】
操作部４２は、バス４６を介して操作部４２及び表示部４３に接続されている。操作部４２は、ユーザ（会員）が操作入力を行うための各種の操作キーや、ポインティングデバイスを有している。表示部４３は、例えば液晶ディスプレイ等であり各種の情報を表示する。なお、表示部４３をタッチパネル構成としてもよく、この場合、タッチパネルは操作部４２として機能する。
【００４２】
また、制御部４１は、バス４６を介して通信Ｉ／Ｆ４４に接続されており、この通信Ｉ／Ｆ４４を介してネットワークＮ３に接続することが可能となっている。
【００４３】
また、制御部４１は、バス４６を介して、記憶部４５に接続されている。記憶部４５は、制御部４１（ＣＰＵ）が実行する各種プログラムの他、各種の情報を記憶する。例えば、記憶部４５は、購入品管理サーバ３と協働するためのプログラムや設定情報を記憶する。また、記憶部４５は、表示部４３の表示制御に係るプログラムや設定情報を記憶する。また、記憶部４５は、自装置を操作するユーザ（会員）の会員ＩＤを記憶（保持）する。この会員ＩＤは、例えば、操作部４２を介してユーザから入力されるものである。記憶部４５は、操作部４２を介して入力された会員ＩＤを、恒常的又は一時的に記憶する。なお、会員ＩＤは、ＲＡＭが保持する形態としてもよい。
【００４４】
次に、上記した各装置の機能構成について説明する。
【００４５】
まず、ＰＯＳ端末１の機能構成について説明する。図７は、ＰＯＳ端末１の機能構成を示す図である。図７に示すように、ＰＯＳ端末１は、商品販売処理部１１１と、レシート出力部１１２とを機能部として備える。具体的には、制御部１１のＣＰＵが、記憶部１７のプログラムを実行することにより、商品販売処理部１１１、レシート出力部１１２がＲＡＭ上に生成される。
【００４６】
商品販売処理部１１１は、商品販売処理及びレシートデータの生成を主に行う。具体的に、商品販売処理部１１１は、コードスキャナ１５等を介して、商品に付されたコードシンボルから商品コードを読み取る。また、商品販売処理部１１１は、読み取った商品コードに対応する商品データを商品データファイルから読み出し、この商品の単価に基づいて決済金額を算出する商品販売処理を実行する。そして、商品販売処理部１１１は、商品販売処理で処理された各商品の取引内容を含むレシートデータを生成する。
【００４７】
ここで、レシートデータは、非構造化形式のテキストデータである。レシートデータは、店舗を運営する企業を示す企業コード（企業名）、店舗コード（店舗名）、取引日時Ｄ７、取引ナンバー、レジナンバー、担当者名等の要素を含む。また、レシートデータは、決済の対象となった各商品の商品名（商品コード）、単価、点数、各商品の合計金額、ユーザが支払った預かり金額、お釣り金額等を有する。
【００４８】
また、商品販売処理部１１１は、取引時にコードスキャナ１５等を介してユーザ（会員）を特定する会員ＩＤを取得すると、その会員ＩＤを含んだレシートデータを生成する。
【００４９】
レシート出力部１１２は、商品販売処理部１１１で一取引分のレシートデータが生成される毎に、当該レシートデータを紙レシートとしてプリンタ１３から印字させる。また、レシート出力部１１２は、レシートデータに会員ＩＤが含まれる場合、レシートデータスキーマの変換規則に従い、レシートデータをＸＭＬやＣＳＶ等の構造化形式のデータに変換する。そして、レシート出力部１１２は、データ形式を変換したレシートデータ、つまり電子レシートを、自店舗を運営する企業の企業サーバ２に送信（出力）する。
【００５０】
次に、企業サーバ２の機能構成について説明する。図８は、企業サーバ２の機能構成を示す図である。図８に示すように、企業サーバ２は、電子レシート管理部２１１と、電子レシート転送部２１２とを機能部として備える。具体的には、制御部２１のＣＰＵが、記憶部２３のプログラムを実行することにより、電子レシート管理部２１１、電子レシート転送部２１２がＲＡＭ上に生成される。
【００５１】
電子レシート管理部２１１は、通信Ｉ／Ｆ２２を介して、ＰＯＳ端末１の各々から送信される電子レシートを受信する。また、電子レシート管理部２１１は、受信した電子レシートを、記憶部２３の所定領域（データベース等）に格納する。
【００５２】
電子レシート転送部２１２は、電子レシート管理部２１１が受信した電子レシートを、所定のタイミングで購入品管理サーバ３に送信（転送）する。なお、電子レシート転送部２１２が、電子レシートを転送するタイミングは特に問わないものとする。例えば、電子レシート転送部２１２は、電子レシート管理部２１１が電子レシートを受信したタイミングで、当該電子レシートを転送してもよい。また、電子レシート転送部２１２は、所定の時間（例えば１時間）毎に、電子レシートを転送してもよい。
【００５３】
次に、購入品管理サーバ３の機能構成について説明する。図９は、購入品管理サーバ３の機能構成を示す図である。図９に示すように、購入品管理サーバ３は、電子レシート管理部３１１と、購入品管理部３１２と、購入品情報提供部３１３と、を機能部として備える。具体的には、制御部３１のＣＰＵが、記憶部３３のプログラムを実行することにより、上記の機能部がＲＡＭ上に生成される。
【００５４】
電子レシート管理部３１１は、通信Ｉ／Ｆ３２を介して、企業サーバ２の各々から送信される電子レシートを受信する。また、電子レシート管理部３１１は、受信した電子レシートを、記憶部３３の電子レシートＤＢ３３ｂに登録する。ここで、電子レシートＤＢ３３ｂに登録された電子レシートは、各会員（ユーザ）の購入履歴に対応する。
【００５５】
購入品管理部３１２は、本実施形態の抽出手段および記憶手段に対応する機能部である。購入品管理部３１２は、電子レシートＤＢ３３ｂに電子レシートが格納される毎に、当該電子レシートに含まれた会員ＩＤ及び商品コードを抽出し、購入品管理ＤＢ３３ｃに登録する。具体的に、購入品管理部３１２は、電子レシートから会員ＩＤ及び商品コードを抽出すると、その抽出した商品コードの各々に管理番号を付与する。そして、購入品管理部３１２は、管理番号を付与した商品コードの各々を、抽出した会員ＩＤに関連付けて、購入品管理ＤＢ３３ｃに登録する。また、抽出した会員ＩＤが購入品管理ＤＢ３３ｃに登録済である場合には、該当する会員ＩＤに関連付けて、管理番号を付与した商品コードの各々を登録する。
【００５６】
管理番号は、上述したように、同一の会員ＩＤに関連付けて購入品管理ＤＢ３３ｃに登録した各商品コード、つまり購入品の各々を管理するために用いられる。そのため、購入品管理部３１２は、同一の商品コードが複数存在する場合であっても、当該商品コードの各々に異なる管理番号を付与して管理する。また、購入品管理部３１２は、電子レシートにおいて一の商品（商品コード）の点数が複数個を示す場合、その個数分の商品コードを抽出し、それぞれ異なる管理番号を付与して管理する。
【００５７】
また、購入品管理部３１２は、ネットワークＮ３を介して、ユーザ端末４から会員ＩＤ及び管理番号を指定した保管場所情報の登録要求を受け付ける。購入品管理部３１２は、登録要求を受け付けると、その登録要求で指定された会員ＩＤの管理番号に関連付けて、保管場所情報を購入品管理ＤＢ３３ｃに登録する。なお、保管場所情報には、購入品の保管場所を示す情報が含まれるものとする。
【００５８】
また、購入品管理部３１２は、ネットワークＮ３を介して、ユーザ端末４から会員ＩＤ、管理番号及び消費量を指定した消費要求を受け付けると、その消費量分を減算する消費処理を行う。具体的に、購入品管理部３１２は、消費要求を受け付けると、その消費要求で指定された会員ＩＤ及び管理番号に係る購入品の分量から、当該消費要求で指定された消費量を減算する。なお、購入品管理部３１２は、減算の結果、購入品の分量が０（或いはマイナス値）となった場合、その購入品の購入品情報を購入品管理ＤＢ３３ｃに削除日を記録するとともに消費行動を「消費」である“１”にする。
【００５９】
また、購入品管理部３１２は、ネットワークＮ３を介して、ユーザ端末４から会員ＩＤ、管理番号及び廃棄量を指定した廃棄要求を受け付けると、その廃棄量分を減算する廃棄処理を行う。具体的に、購入品管理部３１２は、廃棄要求を受け付けると、その廃棄要求で指定された会員ＩＤ及び管理番号に係る購入品の分量から、当該廃棄要求で指定された廃棄量を減算する。なお、購入品管理部３１２は、減算の結果、購入品の分量が０（或いはマイナス値）となった場合、その購入品の購入品情報を購入品管理ＤＢ３３ｃに削除日を記録するとともに消費行動を「廃棄」である“２”にする。
【００６０】
購入品情報提供部３１３は、本実施形態の生成手段に対応する機能部である。購入品情報提供部３１３は、ネットワークＮ３を介して、ユーザ端末４からユーザＩＤを指定したアクセス要求を受け付けると、そのユーザＩＤに関連付けられた購入品情報を購入品管理ＤＢ３３ｃから読み出す。そして、購入品情報提供部３１３は、読み出した購入品情報に基づいて購入品管理画面を生成し、アクセス元のユーザ端末４に送信（提供）する。なお、購入品管理画面については後述する。
【００６１】
次に、ユーザ端末４の機能構成について説明する。図１０は、ユーザ端末４の機能構成を示す図である。図１０に示すように、ユーザ端末４は、通信制御部４１１と、表示制御部４１２と、操作受付部４１３とを機能部として備える。具体的には、制御部４１のＣＰＵが、記憶部４５のプログラムを実行することにより、通信制御部４１１、表示制御部４１２、操作受付部４１３がＲＡＭ上に生成される。通信制御部４１１、表示制御部４１２及び操作受付部４１３は、例えば、Ｗｅｂブラウザプログラムや、本システム専用のプログラム（アプリケーション）により実現される。
【００６２】
通信制御部４１１は、通信Ｉ／Ｆ４４を介して、購入品管理サーバ３との間で各種情報の授受を行う。例えば、通信制御部４１１は、購入品管理サーバ３から提供される各種の画面を受信する。また、通信制御部４１１は、各種の要求を購入品管理サーバ３に送信する。また、通信制御部４１１は、操作受付部４１３と協働することで、ユーザ操作の内容を購入品管理サーバ３に送信する。
【００６３】
表示制御部４１２は、表示部４３を制御することで、当該表示部４３に各種情報を表示させる。具体的に、表示制御部４１２は、通信制御部４１１と協働することで、購入品管理サーバ３から提供される各種の画面を表示部４３に表示させる。
【００６４】
操作受付部４１３は、操作部４２を介して入力されるユーザ操作を受け付ける機能部である。例えば、表示部４３がタッチパネル構成の場合、操作受付部４１３は、表示制御部４１２と協働することで、表示部４３に表示された画面に対する各種操作を受け付ける。
【００６５】
以下、上記した購入品管理システムの主要な動作について説明する。
【００６６】
まず、図１１を用いて、購入品管理サーバ３が行う購入品管理処理について説明する。図１１は、購入品管理サーバ３が行う購入品管理処理の流れを示すフローチャートである。
【００６７】
まず、電子レシート管理部３１１は、企業サーバ２から電子レシートを受信するまで待機する（ステップＳ１１；Ｎｏ）。電子レシート管理部３１１は、電子レシートを受信すると（ステップＳ１１；Ｙｅｓ）、この電子レシートを電子レシートＤＢ３３ｂに登録する（ステップＳ１２）。
【００６８】
続いて、購入品管理部３１２は、ステップＳ１２で電子レシートＤＢ３３ｂに登録された電子レシートから、購入品として管理する商品の商品コードを抽出する（ステップＳ１３）。ここで、抽出対象となる商品コードは、電子レシートに含まれる全ての商品コードとしてもよいし、一部の商品コードとしてもよい。
【００６９】
次いで、購入品管理部３１２は、ステップＳ１３で抽出した商品コードの各々に管理番号を付与するとともに、分量“１”を設定する（ステップＳ１４）。
【００７０】
続いて、購入品管理部３１２は、管理番号、商品コード、分量の各組を購入品情報とし、電子レシートに含まれた会員ＩＤと関連付けて購入品管理ＤＢ３３ｃに登録する（ステップＳ１５）。なお、ステップＳ１５の時点では、購入品情報を構成する要素のうち、保管場所情報と、削除日とは空となる。
【００７１】
このように、購入品管理部３１２は、各会員の購入履歴（電子レシート）から、当該会員が購入した購入品を抽出する。
【００７２】
次に、図１２〜図１８を用いて、購入品管理サーバ３が行う購入品情報提供処理について説明する。ここで、図１２は、購入品管理サーバ３が行う購入品情報提供処理の流れを示すフローチャートである。
【００７３】
まず、ユーザ端末４側では、操作部４２を介して行われた所定のユーザ操作に応じて、通信制御部４１１が、自装置が保持する会員ＩＤを指定したアクセス要求を購入品管理サーバ３に送信する。
【００７４】
一方、購入品管理サーバ３側では、購入品情報提供部３１３が、ユーザ端末４からのアクセス要求を待機している（ステップＳ３１；Ｎｏ）。購入品情報提供部３１３は、アクセス要求を受け付けると（ステップＳ３１；Ｙｅｓ）、そのアクセス要求で指定された会員ＩＤの購入品情報を購入品管理ＤＢ３３ｃから読み出す（ステップＳ３２）。次いで、購入品情報提供部３１３は、各保管場所を表す購入品管理画面の背景画面の中から、ホーム画面に設定された背景画面を記憶部４５から読み出す（ステップＳ３３）。
【００７５】
ここで、図１３は、購入品管理画面（背景画面）の画面遷移の一例を説明するための図である。図１３に示すように、購入品管理画面は、複数の保管場所を表す背景画面（第２画像）として、第１画面Ｇ１１〜第５画面Ｇ１５を有する。第１画面Ｇ１１は、冷蔵庫（冷蔵室）内の物品収納棚を模した画面である。第２画面Ｇ１２は、冷蔵庫（冷蔵室）の扉部の物品収納棚を模した画面である。第３画面Ｇ１３は、冷凍庫（冷凍室）内の物品収納棚を模した画面である。第４画面Ｇ１４は、室内に配置される物品収納棚を模した画面である。第５画面Ｇ１５は、非常用持出袋内の状態を表す画面である。
【００７６】
第１画面Ｇ１１〜第５画面Ｇ１５は、それぞれが一画面内に収まるよう表示され、ユーザ端末４でのユーザ操作に応じて画面遷移するよう構成される。例えば、第１画面Ｇ１１は、図面左方への移動を指示する操作に応じて、第２画面Ｇ１２に遷移する。また、第１画面Ｇ１１は、図面下方への移動を指示する操作に応じて、第３画面Ｇ１３に遷移する。また、第１画面Ｇ１１は、図面右方への移動を指示する操作に応じて、第４画面Ｇ１４に遷移する。また、第４画面Ｇ１４は、画面右上の操作子であるマークＭ１が操作されると、第５画面Ｇ１５に遷移する。なお、本実施形態では、最初に表示するホーム画面として、第１画面Ｇ１１が設定されているものとする。
【００７７】
第１画面Ｇ１１〜第４画面Ｇ１４の各物品収納棚には、後述するように各購入品を表した商品画像Ｇ２（図１４参照）が配置される。また、第１画面Ｇ１１〜第４画面Ｇ１４の全て又は一部の物品収納棚には、その物品収納棚の状態を表すサブ画面が関連付けられている。ここで、図１３の第６画面Ｇ１６は、第１画面Ｇ１１に示した物品収納棚ＳＨ１部分のサブ画面を示す図である。このサブ画面は、物品収納棚ＳＨ１を上面から見た状態を表すものである。
【００７８】
図１２に戻り、購入品情報提供部３１３は、ステップＳ３２で読み出した各購入品の保管位置情報に基づき、当該購入品を表す商品画像を背景画面上に配置する（ステップＳ３４）。具体的に、購入品情報提供部３１３は、各購入品の商品コードに関連付けられた商品画像の各々を記憶部４５から読み出し、当該商品画像を保管位置情報が示す背景画像上の位置に配置する。なお、本実施形態では、商品画像が第１画像に対応し、背景画面が第２画像に対応する。
【００７９】
図１４は、購入品管理画面の一例を示す図である。図１４では、各購入品を表す商品画像Ｇ２を、第１画面Ｇ１１上に配置した例を示している。この場合、第１画面Ｇ１１上に配置される各購入品の保管位置情報には、例えば、第１画面Ｇ１１を指示する情報と、この第１画面Ｇ１１内での特定の領域を示す情報とが含まれる。ここで、特定の領域は、特定の物品収納棚（例えば、物品収納棚ＳＨ１）等を指示するものである。なお、第５画面Ｇ１５の場合には、保管位置情報は第５画面Ｇ１５を指示する情報のみとしてもよい。なお、商品画像Ｇ２がタップされた場合、購入品情報提供部３１３は、商品画像Ｇ２対応する商品名をポップアップ表示するようにしても良い。
【００８０】
続いて、購入品情報提供部３１３は、購入品管理ＤＢ３３ｃから読み出した各購入品の中に、保管位置情報が空のものが存在するか否かを判定する（ステップＳ３５）。保管位置情報が空のものが存在しない場合（ステップＳ３５；Ｎｏ）、購入品情報提供部３１３は、ステップＳ３７に移行する。また、保管位置情報が空の購入品が存在する場合（ステップＳ３５；Ｙｅｓ）、購入品情報提供部３１３は、この購入品に対応する商品画像に対し、報知情報を付加する（ステップＳ３６）。
【００８１】
図１４では、報知情報Ｇ４として、保管位置情報が空の購入品に対応する商品画像Ｇ２に、新規購入品であることを報知するメッセージ「ＮＥＷ」を付加した例を示している。なお、保管位置情報が空の場合、商品画像Ｇ２の初期配置位置は特に問わないものとする。例えば、商品毎に予め定めた保管場所に配置してもよいし、特定の物品収納棚に纏めて配置してもよい。また、新規購入品の商品画像Ｇ２に対し所定の処理を施すことで、当該商品画像Ｇ２が新たに追加されたものであることを強調してもよい。
【００８２】
続いて、購入品情報提供部３１３は、ステップＳ３４〜Ｓ３６で商品画像等を配置した背景画面を、購入品管理画面としてユーザ端末４に提供（送信）する（ステップＳ３７）。これにより、ユーザ端末４の表示部４３には、図１４等に示す購入品管理画面が表示されることになる。なお、ユーザ端末４のユーザは、表示部４３に表示された購入品管理画面に対し、各種の操作を行うことが可能となっている。購入品情報提供部３１３は、ユーザ端末４でのユーザ操作に応じて、当該ユーザ端末４に提供する購入品管理画面を更新する。
【００８３】
具体的に、購入品情報提供部３１３は、ユーザ端末４からの操作指示を待機する（ステップＳ３８；Ｎｏ→ステップＳ４０；Ｎｏ）。ここで、購入品情報提供部３１３は、画面遷移を指示する画面遷移操作を受け付けると（ステップＳ３８；Ｙｅｓ）、遷移先の背景画面を読み出し（ステップＳ３９）、ステップＳ３４に戻る。
【００８４】
また、購入品情報提供部３１３は、特定の領域（物品収納棚）を指定する領域指定操作を受け付けると（ステップＳ３８；Ｎｏ→ステップＳ４０；Ｙｅｓ）、指定された物品収納棚のサブ画面をユーザ端末４に提供する（ステップＳ４１）。
【００８５】
例えば、図１４の購入品管理画面において、物品収納棚ＳＨ１の領域が指定されると、購入品情報提供部３１３は、図１５に示すサブ画面をユーザ端末４に提供する。このサブ画面は、物品収納棚ＳＨ１に関連付けられた第６画面Ｇ１６上に、物品収納棚ＳＨ１に配置された各購入品の商品画像Ｇ２や報知情報を配列することで生成される。図１５に示すように、サブ画面では、物品収納棚ＳＨ１を上面から見た状態であるため、図１４で重畳されていた商品画像Ｇ２が、重なりのないフラットな状態で表される。そのため、ユーザ端末４のユーザは、サブ画面を参照することで、各物品収納棚に配置された購入品（商品画像Ｇ２）の状態を容易に把握することができる。
【００８６】
購入品情報提供部３１３は、サブ画面を提供した後、ユーザ端末４からサブ画面を閉じる操作を受け付けるまで待機する（ステップＳ４２；Ｎｏ）。このサブ画面を閉じる操作は、例えば、図１５でグレーアウトされた部分が選択されることによって行われる。購入品情報提供部３１３は、サブ画面を閉じる操作を受け付けると（ステップＳ４２；Ｙｅｓ）、ステップＳ３８に戻る。
【００８７】
このように購入品情報提供部３１３は、新たに追加された購入品の商品画像Ｇ２に報知情報Ｇ４を付加等し、購入品管理画面としてユーザ端末４に提供する。これにより、ユーザ端末４のユーザは、新たに追加された購入品を容易に把握することができるため、利便性の向上を図ることができる。
【００８８】
次に、図１６を用いて、購入品管理サーバ３が行う購入品操作処理について説明する。図１６は、購入品管理サーバ３が行う購入品操作処理の流れを示すフローチャートである。なお、本処理の前提として、ユーザ端末４の表示部４３には購入品管理画面が表示されているものとする。
【００８９】
まず、購入品管理サーバ３の購入品管理部３１２は、ユーザ端末４から保管場所情報の登録を指示する登録要求が送信されるまで待機する（ステップＳ５１；Ｎｏ→ステップＳ５４；Ｎｏ）。
【００９０】
ここで、登録要求は、ユーザ端末４において、購入品管理画面内の商品画像の配置位置を変更する位置変更操作がなされた場合に送信されるものである。この位置変更操作は、例えば、購入品管理画面内において、ある物品収納棚に配置された商品画像Ｇ２を、他の物品収納棚に移動させる操作によって行われる。ユーザ端末４の通信制御部４１１は、位置変更操作が行われると、変更先を指示する登録要求を、購入品管理サーバ３に送信する。具体的に、登録要求は、ユーザ端末４が保持する会員ＩＤと、操作の対象となった商品画像Ｇ２に対応する購入品の管理番号と、変更先の保管場所情報とを含む。なお、購入品管理画面内での商品画像の配置位置は、実際の購入品の保管位置と一致させることが、購入品の管理を行う上で好ましい。
【００９１】
購入品管理部３１２は、登録要求を受け付けると（ステップＳ５１；Ｙｅｓ）、この登録要求で指定された会員ＩＤ及び管理番号に対応する購入品情報を購入品管理ＤＢ３３ｃから検索する（ステップＳ５２）。そして、購入品管理部３１２は、検索した購入品情報の保管場所情報欄に、登録要求で指定された保管場所情報を登録（或いは上書き）する（ステップＳ５３）。
【００９２】
また、購入品管理サーバ３の購入品管理部３１２は、ユーザ端末４から購入品の消費を指示する消費要求または購入品の廃棄を指示する廃棄要求が送信されるまで待機する（ステップＳ５４；Ｎｏ→ステップＳ５１；Ｎｏ）。
【００９３】
ここで、消費要求は、ユーザ端末４において、購入品の消費を指示する消費指示操作がなされた場合に送信されるものである。また、廃棄要求は、ユーザ端末４において、購入品の廃棄を指示する廃棄指示操作がなされた場合に送信されるものである。
【００９４】
ここで、ユーザ端末４における消費要求または廃棄要求の送信手法について説明する。図１７は、購入品管理画面の一例を示す図である。図１７に示すように、購入品管理画面内において、ある物品収納棚に配置された商品画像Ｇ２を長押しすると、購入品管理サーバ３の購入品管理部３１２は、購入品管理画面内に消費マークＭ２およびゴミ箱マークＭ３を表示する。
【００９５】
消費要求は、購入品管理画面内の物品収納棚に配置された商品画像Ｇ２を長押しすると購入品管理画面内に表示される消費マークＭ２に対して、当該物品収納棚に配置された１又は複数の商品画像Ｇ２をドラッグ＆ドロップする（移動して重ねる）ことによって行われる。図１７に示す例においては、商品Ａを消費マークＭ２に対してドラッグ＆ドロップする様子を示している。
【００９６】
廃棄要求は、購入品管理画面内の物品収納棚に配置された商品画像Ｇ２を長押しすると購入品管理画面内に表示されるゴミ箱マークＭ３に対して、当該物品収納棚に配置された１又は複数の商品画像Ｇ２をドラッグ＆ドロップする（移動して重ねる）ことによって行われる。
【００９７】
ユーザ端末４の通信制御部４１１は、消費指示操作が行われると、消費量を指示する消費要求を購入品管理サーバ３に送信する。具体的に、消費要求は、ユーザ端末４が保持する会員ＩＤと、消費指示操作の対象となった購入品の管理番号と、消費した分量（消費量）とを含む。
【００９８】
なお、消費量に応じた複数の消費マークＭ２を用意するようにしても良い。このように複数の消費マークＭ２を用意することにより、消費量を“１”、“１／２”、“１／４”の単位で指定することができる。この場合、通信制御部４１１は、商品画像Ｇ２が消費量を“１”に対応する消費マークＭ２にドラッグ＆ドロップされた場合には、消費量“１”を指定し、商品画像Ｇ２が消費量を“１／２”に対応する消費マークＭ２にドラッグ＆ドロップされた場合には、消費量“１／２”を指定する。
【００９９】
一方、ユーザ端末４の通信制御部４１１は、廃棄指示操作が行われると、廃棄量を指示する廃棄要求を購入品管理サーバ３に送信する。具体的に、廃棄要求は、ユーザ端末４が保持する会員ＩＤと、廃棄指示操作の対象となった購入品の管理番号と、廃棄した分量（廃棄量）とを含む。
【０１００】
購入品管理部３１２は、消費要求を受け付けると（ステップＳ５４；Ｙｅｓ）、この消費要求で指定された会員ＩＤ及び管理番号に対応する購入品情報を購入品管理ＤＢ３３ｃから検索する（ステップＳ５５）。次いで、購入品管理部３１２は、検索した購入品情報の分量から、消費要求で指定された消費量を減算する（ステップＳ５６）。
【０１０１】
続いて、購入品管理部３１２は、ステップＳ５６の減算結果が０以下か否かを判定する（ステップＳ５７）。ここで、減算結果が０より大きな値（例えば１／２）の場合（ステップＳ５７；Ｎｏ）、購入品管理部３１２は、ステップＳ５１に戻る。また、減算結果が０以下の場合（ステップＳ５７；Ｙｅｓ）、購入品管理部３１２は、ステップＳ５５で検索した購入品情報の購入品管理ＤＢ３３ｃの消費行動を「消費」である“１”にするとともに、購入品管理ＤＢ３３ｃに削除日を記録した後（ステップＳ５８）、ステップＳ５１に戻る。
【０１０２】
また、購入品管理部３１２は、廃棄要求を受け付けると（ステップＳ５４；Ｙｅｓ）、この廃棄要求で指定された会員ＩＤ及び管理番号に対応する購入品情報を購入品管理ＤＢ３３ｃから検索する（ステップＳ５５）。次いで、購入品管理部３１２は、検索した購入品情報の分量から、廃棄要求で指定された廃棄量を減算する（ステップＳ５６）。
【０１０３】
続いて、購入品管理部３１２は、ステップＳ５６の減算結果が０以下か否かを判定する（ステップＳ５７）。ここで、減算結果が０より大きな値（例えば１／２）の場合（ステップＳ５７；Ｎｏ）、購入品管理部３１２は、ステップＳ５１に戻る。また、減算結果が０以下の場合（ステップＳ５７；Ｙｅｓ）、購入品管理部３１２は、ステップＳ５５で検索した購入品情報の購入品管理ＤＢ３３ｃの消費行動を「廃棄」である“２”にするとともに、購入品管理ＤＢ３３ｃに削除日を記録した後（ステップＳ５８）、ステップＳ５１に戻る。
【０１０４】
このように、購入品管理サーバ３では、購入品管理画面を介した操作に応じて、購入品情報に対応付けられる保管場所情報の登録処理、購入品情報の消費処理、購入品情報の廃棄処理を実行し、消費または廃棄したのかを記録する。購入品情報の消費処理および廃棄処理については、購入品が消費または廃棄によって削除された場合に購入品管理ＤＢ３３ｃの消費行動を「消費」である“１”か「廃棄」である“２”にする。このようにすることで、ユーザ端末４は、購入品管理ＤＢ３３ｃの購入品情報を表示する際に、消費行動が“１”か“２”である場合には、表示としては削除したように見せることができる。図１８に示す例では、図１７で消費マークＭ２に対してドラッグ＆ドロップした商品Ａが表示されていない。
【０１０５】
また、本実施形態においては、購入品が消費または廃棄によって削除された場合に、購入品管理サーバ３の購入品管理ＤＢ３３ｃにおいて削除日を記録している。これにより、ユーザ端末４は、購入品管理サーバ３の購入品管理ＤＢ３３ｃから所定の期間における廃棄にかかる購入品情報を取得することができる。すなわち、ユーザ端末４のユーザは、廃棄によって削除されたことを示すデータと電子レシートデータとを組み合わせることで、所定の期間における廃棄ロス金額などの統計データを計算することができる。これにより、ユーザ端末４のユーザは、簡易な操作で購入品を管理することができるため、利便性の向上を図ることができる。
【０１０６】
なお、購入品情報提供部３１３は、購入品情報に含まれた分量の変更に伴い、対応する商品画像の状態を変更することが好ましい。例えば、購入品情報提供部３１３は、分量が１／２だけ消費した購入品の商品画像Ｇ２を、１／２にカットされた状態の購入品を表す商品画像Ｇ２に変更する。これにより、ユーザ端末４のユーザは、各購入品の残量を容易に把握することができるため、利便性の向上を図ることができる。
【０１０７】
このように本実施形態によれば、電子レシートをユーザの購入履歴として用いるとともに、ユーザの購入履歴から当該ユーザが購入したものであって所定の保管場所情報に対応付けて記憶されている購入品を抽出し、抽出した購入品の何れかについて削除要求がなされた場合、削除した削除日を当該購入品に対応付けた削除統計情報を記憶部に記憶するようにした。このように購入品管理の消費行動（消費または廃棄による削除）をログとして記憶する機能を追加することにより、容易に商品の管理（「捨てた」「食べた（使った）」の管理）を行うことができる。また、購入品を管理する際に、消費行動フラグ（「消費」は“１”、「廃棄」は“２”）を購入品に付与するようにしたので、統計を取る際には、このフラグを元にロス計算等を行なうことができる。
【０１０８】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加、組合せ等を行うことができる。また、上記実施形態やその変形は、発明の範囲や要旨に含まれるとともに、特許請求の範囲に記載された発明とその均等の範囲に含まれる。
【０１０９】
また、上記実施形態では、購入品管理サーバ３が購入品管理画面を生成する形態としたが、これに限らず、ユーザ端末４が画面を生成する形態としてもよい。具体的には、ユーザ端末４が、購入品情報提供部３１３の機能の一部（画面生成機能）を備える。そして、ユーザ端末４の画面生成機能は、購入品管理サーバ３から提供される購入品情報に基づいて各種画面を生成する。なお、画面生成に用いる背景画像や商品画像等は、ユーザ端末４がローカルで保持する形態としてもよいし、購入品管理サーバ３等の外部装置が保持するものを読み出す形態としてもよい。
【０１１０】
また、上記実施形態では、購入品管理サーバ３が購入品管理画面（購入品情報）をユーザ端末４に提供する構成としたが、これに限らないものとする。例えば、企業サーバ２が、自社で管理する電子レシートに基づいて購入品管理画面やレシピ画面をユーザ端末４に提供する構成としてもよい。この場合、企業サーバ２は、購入品情報提供部３１３の機能部を備え、購入品管理サーバ３と同様に各種情報の提供を行う。
【０１１１】
また、上記実施形態の各装置で実行されるプログラムは、各装置が備える記憶媒体（ＲＯＭ又は記憶部）に予め組み込んで提供するが、これに限らないものとする。例えば、プログラムは、インストール可能な形式又は実行可能な形式のファイルで、コンピュータで読み取り可能な記録媒体に記録して提供してもよい。係る記憶媒体は、例えばＣＤ−ＲＯＭ、フレキシブルディスク（ＦＤ）、ＣＤ−Ｒ、ＤＶＤ（Digital  Versatile  Disk）等が挙げられる。更に、記憶媒体は、コンピュータ或いは組み込みシステムと独立した媒体に限らないものとする。例えば、記憶媒体は、ＬＡＮやインターネット等により伝達されたプログラムをダウンロードすることで、記憶又は一時記憶した記憶媒体も含まれる。
【０１１２】
また、上記各実施形態の各装置で実行されるプログラムは、インターネット等のネットワーク経由で提供又は配布する構成としてもよい。
【符号の説明】
【０１１３】
３        情報処理装置
３３      記憶部
３１２    抽出手段、記憶手段
３１３    生成手段
【先行技術文献】
【特許文献】
【０１１４】
【特許文献１】特開２００３−２２２４６０号公報
【図１】
0006265932.tif 000002
【図２】
0006265932.tif 000003
【図３】
0006265932.tif 000004
【図４】
0006265932.tif 000005
【図５】
0006265932.tif 000006
【図６】
0006265932.tif 000007
【図７】
0006265932.tif 000008
【図８】
0006265932.tif 000009
【図９】
0006265932.tif 000010
【図１０】
0006265932.tif 000011
【図１１】
0006265932.tif 000012
【図１２】
0006265932.tif 000013
【図１３】
0006265932.tif 000014
【図１４】
0006265932.tif 000015
【図１５】
0006265932.tif 000016
【図１６】
0006265932.tif 000017
【図１７】
0006265932.tif 000018
【図１８】
0006265932.tif 000019